(57)【特許請求の範囲】
【請求項１】
所定のレンズ群の一部が板状のシャッタ部の中央の露光開口部に入り込む位置を上記所定のレンズ群の撮像位置とし、上記所定のレンズ群の上記撮像位置における光軸から外れる位置を上記所定のレンズ群の退避位置とし、上記撮像位置と上記退避位置との間で上記所定のレンズ群を移動させるレンズ収納機構において、
上記所定のレンズ群は、上記撮像位置と上記退避位置との間の移動のガイドのための、まっすぐなガイド部材に沿って、上記所定のレンズ群の上記撮像位置における光軸の方向を維持しながら直線状に移動し、
上記退避位置における上記シャッタ部と上記所定のレンズ群との距離が、上記撮像位置における上記シャッタ部と上記所定のレンズ群との距離よりも大きくし、
上記シャッタ部の露光開口部のうち、上記所定のレンズ群と対向する面であって上記退避位置側の縁部を一部切り欠いて凹部とすることで、上記移動の際の上記所定のレンズ群と上記シャッタ部との衝突を避け、
上記凹部は、上記露光開口部を閉じるシャッタによって上記露光開口部と共に覆われる大きさとすることを特徴とするレンズ収納機構。
【請求項２】
請求項１記載のレンズ収納機構において、
前記所定のレンズ群を固定するレンズ群固定枠と、
上記レンズ群固定枠を前記移動させるためのガイドとなるガイド部材と、
上記レンズ群固定枠に取り付けられ、上記ガイド部材を褶動して前記移動を実現する褶動部材と、
前記シャッタ部の周囲に配置されるシャッタ枠と、
上記シャッタ枠のうち、前記退避位置とは前記露光開口部を挟んで反対側の位置であって、前記板状のシャッタ部の前記所定のレンズ群の存在する面側には、前記シャッタ部の周囲から前記露光開口部に向かうに従い前記シャッタ部に近くなる斜面を有する第１移動支持部材と、
上記斜面と褶動する第２移動部材と、を有し、
上記第２移動部材が前記シャッタ部の周囲側から前記露光開口部側へ上記斜面を褶動するに伴って、上記第２移動部材が上記レンズ群固定枠を前記退避位置方向へと第１の押圧をして前記移動をさせ、
その第１の押圧の際に、上記第２移動部材の上記レンズ群固定枠に当接する当接面が、レンズ群固定枠と褶動し、さらに上記レンズ群固定枠を前記退避位置方向へと第２の押圧をして前記移動をさせ、
上記第２移動部材による上記第１の押圧および上記第２の押圧を解くと、前記所定のレンズ群を前記退避位置から前記撮像位置へと戻す付勢手段を有することを特徴とするレンズ収納機構。
【請求項３】
請求項１または２に記載のレンズ収納機構を具備することを特徴とする光学撮像装置。
【発明の詳細な説明】
【技術分野】
【０００１】
本発明は、レンズ収納機構およびそれを用いた光学撮像装置に関する。
【背景技術】
【０００２】
デジタルカメラまたはデジタルビデオカメラのような光学系の機器においては、レンズ収納機構の小型化を図るべく、非撮影時には第二レンズ群を光路内に配置した状態から、光路外に退避させるものが知られている（たとえば特許文献１参照）。特許文献１に記載されている第二レンズ群のうち、シャッタと対向する面の周縁には、シャッタに向かって突出する凸部が設けられている。この凸部は、第二レンズ群の退避動作およびその逆の光路内へ移動動作の際に、第二レンズ群の球面状の部分とシャッタ羽根との衝突を避けるように設けられている。
【先行技術文献】
【特許文献】
【０００３】
【特許文献１】特開２００５−１８９５１６号公報
【発明の概要】
【発明が解決しようとする課題】
【０００４】
ここで、たとえば負正正三群ズームレンズでは、広角側から望遠側への変倍の際に、第一レンズ群と第二レンズ群が光軸方向に沿って大きく移動する必要がある。さらに、望遠側の焦点距離を稼ぐには、負のパワーをもつ第一レンズ群と正のパワーをもつ第二レンズ群との空気間隔を極力小さくすることが望ましい。
【０００５】
しかしながら、上述の特許文献１に記載された第二レンズ群は、凸部の存在によって、第一レンズ群との距離を大きくしなければならない。そのため、たとえば負正正三群ズームレンズの高変倍比が得られにくい。
【０００６】
そこで、本発明の目的は、レンズ収納機構の小型化とズームレンズの高変倍比の双方の実現を可能とするレンズ収納機構およびそれを用いた光学撮像装置を提供することである。
【課題を解決するための手段】
【０００７】
上記目的を達成するため、本発明のレンズ収納機構は、所定のレンズ群の一部が板状のシャッタ部の中央の露光開口部に入り込む位置を所定のレンズ群の撮像位置とし、所定のレンズ群の撮像位置における光軸から外れる位置を所定のレンズ群の退避位置とし、撮像位置と退避位置との間で所定のレンズ群を移動させるレンズ収納機構において、所定のレンズ群は、撮像位置と退避位置との間の移動のガイドのための、まっすぐなガイド部材に沿って、所定のレンズ群の撮像位置における光軸の方向を維持しながら直線状に移動し、退避位置におけるシャッタ部と所定のレンズ群との距離が、撮像位置における上記シャッタ部と所定のレンズ群との距離よりも大きくし、シャッタ部の露光開口部のうち、所定のレンズ群と対向する面であって退避位置側の縁部を一部切り欠いて凹部とすることで、移動の際の所定のレンズ群とシャッタ部との衝突を避け、凹部は、露光開口部を閉じるシャッタによって露光開口部と共に覆われる大きさとする。
【０００８】
ここで、シャッタ部の露光開口部のうち、退避位置側の縁部の所定のレンズ群と対向する面を、一部切り欠いて露光開口部から退避位置側に向かう凹部とし、移動の際の所定のレンズ群とシャッタ部との衝突を避けることが好ましい。
【０００９】
また、所定のレンズ群を固定するレンズ群固定枠と、レンズ群固定枠を移動させるためのガイドとなるガイド部材と、レンズ群固定枠に取り付けられ、ガイド部材と褶動して前記移動を実現する褶動部材と、シャッタ部の周囲に配置されるシャッタ枠と、シャッタ枠のうち、退避位置とは露光開口部を挟んで反対側の位置であって、板状のシャッタ部の所定のレンズ群の存在する面側には、シャッタ部の周囲から露光開口部に向かうに従いシャッタ部に近くなる斜面を有する第１移動支持部材と、斜面と褶動する第２移動部材と、を有し、第２移動部材がシャッタ部の周囲側から露光開口部側へ斜面を褶動するに伴って、第２移動部材がレンズ群固定枠を退避位置方向へと第１の押圧をして移動をさせ、その第１の押圧の際に、第２移動部材のレンズ群固定枠に当接する当接面が、レンズ群固定枠と褶動し、さらにレンズ群固定枠を退避位置方向へと第２の押圧をして移動をさせ、第２移動部材による第１の押圧および第２の押圧を解くと、所定のレンズ群を退避位置から撮像位置へと戻す付勢手段を有することとしても良い。
【００１０】
上記目的を達成するため、本発明の光学撮像装置は、上述の各発明に係るレンズ収納機構を具備する。
【発明の効果】
【００１１】
本発明では、レンズ収納機構の小型化とズームレンズの高変倍比の双方の実現を可能とするレンズ収納機構およびそれを用いた光学撮像装置を提供することができる。
【図面の簡単な説明】
【００１２】
【図１】本発明の一実施の形態に係るレンズ収納機構の構成を示す側断面図であり、各筒が飛び出した状態を示す図である。
【図２】レンズ収納機構の構成を示す側断面図であり、各筒が収納されている状態を示す図である。
【図３】レンズ収納機構のうち、スライドガイド部付近の構成を示す側断面図である。
【図４】（Ａ）は、図１および図２におけるシャッタ枠とシャッタ部を、端面図として詳細に示す図であり、（Ｂ）は、仕切り板と押え板の隙間から押え板を見た平面図である。
【図５】第二レンズ群退避機構の構成を示す側断面図であり、図６のＡ−Ａ線に沿って切断したものを示す図である。
【図６】第二レンズ群退避機構の構成を示す図であり、後方側から前方側を見た状態を示す図である。
【図７】図６のＢ−Ｂ線に沿って切断したときのシャッタ枠とガイド軸と第二レンズ群との位置関係を示す簡略図であり、（Ａ）は、仮に第二レンズ群が撮像位置に位置していた場合の図であり、（Ｂ）は、第二レンズ群が退避位置に位置している場合の図である。
【図８】第二レンズ群退避機構の構成を示す側断面図であり、図６のＢ−Ｂ線に沿って切断したものを示す図である。
【図９】第二レンズ群退避機構の構成を示す側断面図であり、第二レンズ群が撮像位置に位置する状態を示す側断面図である。
【図１０】第二レンズ群退避機構の動作の様子を示す図であり、（Ａ）は第二レンズ群が撮像位置に位置している状態を示し、（Ｂ）は第二レンズ群の退避位置に向けた移動が開始された状態を示し、（Ｃ）は第二レンズ群が移動して中心孔から見えなくなった状態を示す図である。
【図１１】第二レンズ群退避機構の動作の様子を示す図であり、（Ａ）は第一傾斜部と第三傾斜部とが当接している状態を示し、（Ｂ）は各筒が完全に収納された状態を示す図である。
【図１２】比較例に係る第二レンズ群退避機構の動作の様子を示す図であり、（Ａ）は図１０（Ａ）に対応する状態を示し、（Ｂ）は図１０（Ｂ）に対応する状態を示し、（Ｃ）は図１０（Ｃ）に対応する状態を示す図である。
【図１３】比較例に係る第二レンズ群退避機構の動作の様子を示す図であり、（Ａ）は図１１（Ａ）に対応する状態を示し、（Ｂ）は図１１（Ｂ）に対応する状態を示す図である。
【図１４】本実施の形態において、一対のガイド軸の一方を変形した変形例の、図６に対応する図の斜視図である。
【発明を実施するための形態】
【００１３】
以下、本発明の実施の形態に係るレンズ収納機構１０およびこのレンズ収納機構１０を用いた光学撮像装置１１について、図面を参照しながら説明する。なお、以下の説明においては、図１において撮像部９０に対して第一レンズ群Ｌｎ１が接離する方向を前後方向とし、撮像部９０から第一レンズ群Ｌｎ１に向かう側を前方側とし、それとは逆側を後方側として説明する。
【００１４】
図１および図２に示すように、レンズ収納機構１０は、本体部２０と、固定筒３０と、第一直進筒４０と、カム筒５０と、回転筒６０と、第二直進筒７０と、第一レンズ枠８０と、第二レンズ群退避機構１００とを具備している。また、これらのレンズ収納機構１０は、撮像部９０を具備する光学撮像装置１１に取り付けられている。
【００１５】
本体部２０は、撮像部９０を不図示の保持機構によって保持している。この本体部２０からは、図３に示すように、スライドガイド部２１が突出している。スライドガイド部２１は、後述する第二移動支持部材１１８（第２移動部材）のスライドをガイドするものであり、かかるスライドを良好にガイドするためにスライドガイド部２１は立設部２１１と、第一嵌合部２１２と、第二嵌合部２１３とを有している。立設部２１１は、本体部２０から左側に向かって突出する部分である。そして、この立設部２１１のうち図３における左側端側に、第二嵌合部２１３が設けられている。また、第一嵌合部２１２は、立設部２１１の本体部２０側の付け根付近に設けられている。この第一嵌合部２１２には、立設部２１１と対向するように凸状のレール部２１２ａが設けられていて、このレール部２１２ａと立設部２１１とで鉤状をなしている。そして、このレール部２１２ａは、後述する第二移動支持部材１１８の第１窪み部１１８ｂ１に嵌り込む。また、第二嵌合部２１３にも、凸状のレール部２１３ａが設けられていて、このレール部２１３ａが第二移動支持部材１１８の第二窪み部１１８ａ１に嵌り込む。
【００１６】
なお、本体部２０の不図示の保持機構に保持される撮像部９０は、たとえばＣＣＤまたはＣＭＯＳといった撮像素子を有している。そして、後述する第一レンズ群Ｌｎ１、第二レンズ群Ｌｎ２、第三レンズ群Ｌｎ３を透過した光は、この撮像素子９１で撮像される。また、第三レンズ群Ｌｎ３は、第三レンズ保持枠２５に取り付けられているが、この第三レンズ保持枠２５は、不図示の駆動機構によって、第一直進筒４０の駆動と連動して光軸方向に移動する。なお、第二レンズ群Ｌｎ２は、所定のレンズ群の一例に対応する。また、図１に示す後述する撮像位置における第二レンズ群Ｌｎ２の前方側頂部Ｌｎ２ａは、後述するシャッタ部１０１の露光開口部１０５に一部入り込んでおり、図２に示す後述する退避位置における第二レンズ群Ｌｎ２の前方側頂部Ｌｎ２ａは、後述するシャッタ部１０１から離れている。
【００１７】
図１および図２に示すように、固定筒３０は、本体部２０に対して移動しない状態に設けられている。この固定筒３０は、図２に示すように、収納状態（Ｐａｒｋ状態）において、第一直進筒４０、カム筒５０、回転筒６０、第二直進筒７０、および第一レンズ枠８０を内部に収納することを可能としている。
【００１８】
また、固定筒３０の内周面には不図示のヘリコイド谷部が形成されていると共に、このヘリコイド谷部はカム筒５０の突出部５１と噛み合う。それにより、カム筒５０が不図示のモータによって回転駆動させられると、カム筒５０が回転しながら前後方向に移動することを可能としている。また、固定枠３０の内周面には、ヘリコイド谷部とは別に、前後方向に沿うと共に溝状の固定筒直進溝３１が、光軸方向に対して平行となるように形成されている。この固定筒直進溝３１には、第一直進筒４０の係合突起４１が入り込む。それにより、第一直進筒４０は固定筒３０に対して回転せずに、前後方向に移動可能となる。また、この固定筒直進溝３１には、位置決め部材１１３の筒係合部１１３ｃが入り込む。それにより、後述する位置決め部材１１３が固定筒３０に対して回転するのが阻止され、位置決め部材１１３を介してシャッタ枠１１０が固定筒３０に対して回転するのが阻止される。
【００１９】
また、第一直進筒４０は、固定筒３０の内周側に位置すると共に、カム筒５０の外周側に位置する筒状部材である。この第一直進筒４０の外周面には、係合突起４１が設けられていて、この係合突起４１は上述の固定筒直進溝３１に入り込むことによって前後方向に移動させられる。また、第一直進筒４０の内周面には、カム溝４２が形成されていて、このカム溝４２には、回転筒６０のカムピン６２が入り込む。それにより、回転筒６０は、回転しながら前後方向に移動する。さらに、第一直進筒４０の内周面には、前後方向に沿ってキー溝４３が設けられていて、このキー溝４３には後述する係合キー７１が入り込む。なお、第一直進筒４０の後方側の外周面には、嵌合部４４が設けられている。
【００２０】
また、カム筒５０は、第一直進筒４０の内周側に位置すると共に、後述する位置決め部材１１３およびシャッタ枠１１０の外周側に位置する筒状部材である。このカム筒５０には、たとえば内周側または外周側の所定位置に、ギヤ部が設けられていて、このギヤ部が不図示のモータの回転ギヤと噛み合うことにより、回転させられる。上述したように、カム筒５０の外周側には、突出部５１が設けられていて、この突出部５１は固定筒３０のヘリコイド谷部と噛み合う。それにより、カム筒５０がモータの駆動によって回転させられると、その回転に伴って当該カム筒５０が前後方向に移動させられる。
【００２１】
このカム筒５０のうち、後方側の端部には、フランジ部５２が設けられている。フランジ部５２は、カム筒５０のうち径方向の外方側に最も突出する部分となっている。そして、このフランジ部５２のうち径方向の外方側かつ前方側の部位には、噛合部５３が設けられている。噛合部５３は、第一直進筒４０の嵌合部４４と噛み合って、第一直進筒４０とカム筒５０の間の前後方向における移動を規制している。ただし、噛合部５３に対して噛合部４４は回転自在に設けられている。すなわち、第一直進筒４０は、カム筒５０に対して前後方向の移動は規制される。しかしいながら、第一直進筒４０に対して、カム筒５０の回転は規制されない状態となっている。
【００２２】
また、カム筒５０の内周面には、カム溝５４が形成されている。このカム溝５４は、後述するシャッタ枠１１０の突出ピンと噛み合う。それにより、カム筒５０が回転させられると、シャッタ枠１１０が前後方向に移動する。また、カム筒５０の外周面には、前後方向に沿うキー溝５５が設けられている。
【００２３】
また、回転筒６０は、第二直進筒７０の内周側に位置すると共に、カム筒５０の外側に位置する筒状部材である。この回転筒６０の内周側には、キー６１が設けられている。このキー６１は、上述のキー溝５５に入り込む。それにより、回転筒６０はカム筒５０の回転に伴って回転する。また、回転筒６０の後端側における外周面からは、径方向外方側に向かってカムピン６２が突出している。カムピン６２は、第一直進筒４０のカム溝４２に入り込む部材である。そのため、カム筒５０と共に回転筒６０が回転すると、カムピン６２がカム溝４２に沿って移動することにより、回転筒６０が回転しながら前後方向に移動する。
【００２４】
また、回転筒６０の外周面のうちカムピン６２よりも前方側の部位には、ヘリコイド谷部６３が形成されていて、このヘリコイド谷部６３には、第一レンズ枠８０の突出部８１が入り込み、その突出部８１がヘリコイド谷部６３に沿って褶動する。また、回転筒６０の後方側の部位と第二直進筒７０の後方側の部位にも、上述の嵌合部４４および噛合部５３の間の噛み合いと同様の嵌合部分が存在する。それにより、第二直進筒７０は、回転筒６０に対して前後方向の移動は規制されるが、第二直進筒７０に対して、回転筒６０の回転は規制されない状態となっている。なお、この嵌合部分については、上述の嵌合部４４および噛合部５３の間の噛み合い関係と同様のため、説明を省略する。
【００２５】
また、第二直進筒７０は、第一直進筒４０の内周側に位置すると共に、回転筒６０の外周側に位置する筒状部材である。この第二直進筒７０の後端側の外周面には、係合キー７１が設けられていて、この係合キー７１は第一直進筒４０のキー溝４３に入り込む。それにより、第二直進筒７０は、第一直進筒４０と同様に、前後方向へ移動可能となっている。また、第二直進筒７０の内周面には、第二直進溝７２が設けられていて、この第二直進溝７２には、後述する第一レンズ枠８０の突出キー８２が入り込む。
【００２６】
また、第一レンズ枠８０は、第二直進筒７０の内周側に位置すると共に、回転筒６０の外周側に位置する筒状部材である。この第一レンズ枠８０の内周面のうち後端側の部位には、突出部８１が設けられている。この突出部８１は、回転筒６０のヘリコイド谷部６３に沿って褶動する部分である。一方、第一レンズ枠８０の外周面のうち後端側の部位には、突出キー８２が設けられていて、この突出キー８２は第二直進溝７２に入り込む。そのため、カム筒５０が回転した場合でも、突出キー８２の第二直進溝７２への入り込みにより第一レンズ枠８０は回転しない。しかしながら、突出部８１がヘリコイド谷部６３に入り込んでいることにより、カム筒５０の回転によって第一レンズ枠８０が前後方向に移動する。
【００２７】
また、この第一レンズ枠８０には、第一レンズ群保持部８３が設けられている。第一レンズ群保持部８３は、第一レンズ群Ｌｎ１を保持する部分である。
【００２８】
また、後述するシャッタ枠１１０は、板状のシャッタ部１０１の外周と一体とされている。図１および図２では、シャッタ枠１１０とシャッタ部１０１が同一部材のように簡略化して図示している。図４（Ａ）は、図１および図２におけるシャッタ枠１１０とシャッタ部１０１を、端面図として詳細に示す図である。なお、図４（Ａ）以外の図では、シャッタ枠１１０とシャッタ部１０１を図１および図２と同様に示す。シャッタ部１０１は、前方側から後方側にかけて、地板１０２、仕切り板１０３、および押え板１０４の三枚の板状部材を有している。地板１０２、仕切り板１０３、および押え板１０４は、それぞれそれらの中央部に貫通孔を有しており、その貫通孔がシャッタ部１０１の露光開口部１０５となっている。なお、仕切り板１０３の貫通孔は、地板１０２および押え板１０４の貫通孔よりも径が小さく形成されており、仕切り板１０３の貫通孔によって、露光開口部１０５の径を規定している。
【００２９】
また、地板１０２と押え板１０４は、仕切り板１０３との隙間をそれぞれ設けるように配置されている。地板１０２と仕切り板１０３との間の隙間には、不図示の絞りが配置され、仕切り板１０３と押え板１０４の隙間であって押え板１０４には、図４（Ａ）には不図示のシャッタが配置されている。この絞りとシャッタは、露光開口部１０５を開閉するようにシャッタ部１０１の面に沿って回転移動可能とされている。
【００３０】
図４（Ｂ）は、仕切り板１０３と押え板１０４の隙間から押え板１０４を見た平面図である。シャッタ部１０１の露光開口部１０５（その輪郭は、仕切り板１０３の開口部の輪郭であり、図４（Ｂ）では破線で示している。）を構成する押え板１０４の退避位置側の縁部であって、第二レンズ群Ｌｎ２（所定のレンズ群）と対向する面が、一部切り欠いた凹部１０６となっている。凹部１０６は、露光開口部１０５から退避位置側に向かうに従い幅が狭くなる略三角形状を為している。この凹部１０６の占める範囲は、上述の図４（Ａ）には不図示のシャッタ１０７の動作範囲よりも小さいことが好ましい。例えば図４（Ｂ）に示すように、シャッタ１０７が露光開口部１０５を閉じない状態からシャッタ１０７で露光開口部１０５を閉じた状態までの動作範囲である。その理由は、軸１０８を回転軸とするシャッタ１０７の回転動作の際に、押え板１０４の面に沿って回転するシャッタ１０７の縁が凹部１０６に引っかかるおそれを低減し、シャッタの動作をスムーズにさせるためである。そのため、凹部１０６を退避位置側に大きくとらないようにしている。
【００３１】
＜第二レンズ群退避機構１００(本発明の要部）について＞
続いて、本発明の要部である、第二レンズ群退避機構１００の構成について説明する。第二レンズ群退避機構１００は、シャッタ枠１１０を有している。このシャッタ枠１１０は、外周枠部１１１と、上述のシャッタ部１０１とを有している。これらのうち、外周枠部１１１は、シャッタ部１０１よりも内周側の部分よりも、前後方向に向かって突出している部分である。この外周枠部１１１の外周面からは、カム筒５０のカム溝５４に入り込むカムピン１１１ａが突出している（図８、図９参照）。それにより、シャッタ枠１１０は、カム溝５４に沿って前後方向への移動がガイドされる。
【００３２】
また、外周枠部１１１の内周側には、シャッタ部１０１が設けられている。シャッタ部１０１は、外周枠部１１１の内周側を覆っているものの、その径方向中心部分には、露光開口部１０５が設けられている。そして、この露光開口部１０５を介して光が第二レンズ群Ｌｎ２に入り込むことを可能としている。ここで、シャッタ部１０１には、退避溝１０１ｂが設けられている。退避溝１０１ｂは、第二レンズ群固定枠１１５を、撮像位置から退避位置に向けて移動させるための溝部分であり、シャッタ部１０１を後方側から前方側に向けて、所定の厚みだけ窪ませた部分である。なお、以下の説明においては、第二レンズ群固定枠１１５が撮像位置から退避位置に向けて移動するときの移動方向を、退避移動方向として説明する。
【００３３】
また、外周枠部１１１の内周側には、後述するガイド軸１１４を取り付けるための軸取付部１１１ｂが設けられている。本実施の形態では、図６に示すように、合計４つの軸取付部１１１ｂが設けられていて、それらの軸取付部１１１ｂの取付面（図示省略）は、ガイド軸１１４の軸線方向（退避移動方向）に対して略垂直を為している。
【００３４】
また、外周枠部１１１の外周側には、周方向に沿って複数の切欠部１１１ｃが設けられている（図６においては合計３個）。切欠部１１１ｃは、後述する位置決め部材１１３の延伸部１１３ｂを挿通させるための部分であり、それによって位置決め部材１１３に対するシャッタ枠１１０の回転が阻止されている。
【００３５】
ここで、図１に示す位置決め部材１１３には、リング状のリング部１１３ａが設けられている。この位置決め部材１１３は、カム筒５０に対しては回転自在に設けられるものの、カム筒５０に対しては前後方向に移動しないように、カム筒５０のフランジ部５２の後面側とリング部１１３ａとが嵌合している。また、このリング部１１３ａの内周側には、図１において前方側に向かって突出する延伸部１１３ｂが設けられている。延伸部１１３ｂは、リング部１１３ａの周方向に沿って、上述した切欠部１１１ｃに対応する本数だけ設けられている。また、リング部１１３ａの外周側かつ後方側の面から径方向外方に向かい、筒係合部１１３ｃが設けられている。筒係合部１１３ｃは、固定筒３０の固定筒直進溝３１に入り込み、かかる入り込みによって、位置決め部材１１３が固定筒３０に対して回転するのが阻止され、ひいては位置決め部材１１３を介してシャッタ枠１１０が固定筒３０に対して回転するのが阻止される。
【００３６】
図６に示すように、外周枠部１１１のうち、シャッタ部１０１よりも後方側の所定位置には、一対のガイド軸１１４が取り付けられている。ガイド軸１１４は、ガイド部材の一例に対応する。このガイド軸１１４は、退避移動方向に平行に設けられている。図７は、図６のＢ−Ｂ線に沿って切断したときのシャッタ枠１１０とガイド軸１１４と第二レンズ群Ｌｎ２との位置関係を示す簡略図であり、（Ａ）は、仮に第二レンズ群Ｌｎ２が撮像位置に位置していた場合の図であり、（Ｂ）は、第二レンズ群Ｌｎ２が退避位置に位置している場合の図である。ガイド軸１１４は、図７に示すように、シャッタ枠１１０に取り付けられている。ガイド軸１１４の図７における右側端部も、不図示のシャッタ枠１１０の一部に取り付けられている。
【００３７】
ガイド軸１１４は、シャッタ部１０１の面とは平行にされておらず、撮像位置と退避位置における第二レンズ群Ｌｎ２の同一部分を結ぶ直線Ｘ（＝ガイド軸１１４に沿った直線）が、光軸と直交し移動方向に沿った直線Ｙと角度θ＝２°で交差している。そして、退避位置におけるシャッタ部１０１と第二レンズ群Ｌｎ２との距離が、撮像位置におけるシャッタ部１０１と第二レンズ群Ｌｎ２との距離（この場合は、第二レンズ群Ｌｎ２の前方側頂部Ｌｎ２ａは、露光開口部１０５に一部入り込でいるため、この距離はゼロである）よりも大きくされている。また、一対のガイド軸１１４は、図６に示すように露光開口部１０５を挟んでほぼ対称となる位置に設けられている。そして、このガイド軸１１４は、後述する外方突出部１１５ｂの貫通孔１１５ｃに挿通している。
【００３８】
また、図６に示すように、上述のガイド軸１１４によって、第二レンズ群固定枠１１５の退避移動方向に沿う移動がガイドされる。第二レンズ群固定枠１１５は、第二レンズ群Ｌｎ２を固定するための固定枠であり、枠部分１１５ａにて第二レンズ群Ｌｎ２を固定している。この第二レンズ群固定枠１１５の側面のうち、前後方向では後方側に、かつ、退避移動方向では収納状態時に光軸Ｌにより近い側面には、外方突出部１１５ｂが設けられている。外方突出部１１５ｂは、図５〜図９に示すように、前後方向および退避移動方向と略直交するように設けられている。
【００３９】
また、外方突出部１１５ｂは、一対のガイド軸１１４の間隔以上の長さに設けられている。そして、この外方突出部１１５ｂの突出の両端側には、貫通孔１１５ｃがそれぞれ設けられている。貫通孔１１５ｃは、上述のガイド軸１１４をそれぞれ挿通させる孔部分である。なお、外方突出部１１５ｂのうち、第一移動支持部材１１７に近接する部位には、ガイド部１１５ｄが設けられていて、一方の貫通孔１１５ｃは、このガイド部１１５ｄを貫通するように設けられている。このような構成により、第二レンズ群固定枠１１５はガイド軸１１４にガイドされて、退避移動方向に移動することを可能としている。なお、第一移動支持部材１１７は、第１移動部材の一例に対応する。
【００４０】
ここで、ガイド部１１５ｄが設けられている一方側の外方突出部１１５ｂには、図６においてガイド部１１５ｄよりも第一移動支持部材１１７側に突出する褶動軸部１１５ｅが設けられている。褶動軸部１１５ｅは、褶動部材の一例に対応する。この褶動軸部１１５ｅは、後述する第二傾斜部１１８ｅ（当接面）に沿って褶動する部分であり、その褶動に伴って第二レンズ群固定枠１１５が退避移動方向に移動可能となっている。
【００４１】
また、図６に示すように、ガイド部１１５ｄと、そのガイド部１１５ｄが位置する側のガイド軸１１４が取り付けられる退避側の軸取付部１１１ｂとの間には、付勢バネ１１６が配置されている。この付勢バネ１１６は、付勢手段の一例に対応する。付勢バネ１１６がなすコイル状の孔部分にはガイド軸１１４が挿通されている。そして、この付勢バネ１１６によって、第二レンズ群固定枠１１５には、退避側から離間する向きの付勢力が与えられる。
【００４２】
また、図５〜図９に示すように、シャッタ枠１１０には、板状の第一移動支持部材１１７が設けられている。第一移動支持部材１１７は、シャッタ枠１１０のうち外周枠部１１１寄りの部分に設けられていて、その第一移動支持部材１１７の板幅方向は退避移動方向に沿うように設けられている。また、第一移動支持部材１１７の突出方向（板の長さ方向）は、前後方向に沿っている。
【００４３】
ここで、図８および図９に示すように、第一移動支持部材１１７のうち外周枠部１１１に近接している部分には、後方側に最も突出する突出頂部１１７ａが設けられている。そして、第一移動支持部材１１７には、突出頂部１１７ａから退避移動方向に沿って、第一傾斜部１１７ｂが設けられている。なお、第一傾斜部１１７ｂは、斜面の一例に対応する。この第一傾斜部１１７ｂは、前後方向および退避移動方向に対して傾斜している。すなわち、この傾斜は、シャッタ部１０１の周囲から露光開口部１０５に向かうに従いシャッタ部１０１に近くなる傾斜となっている。図８および図９においては、第一傾斜部１１７ｂが退避移動方向に対して為す傾斜角度は、略４５度程度に設けられているが、この傾斜角度は略４５度に限られるものではなく、第二移動支持部材１１８の退避移動方向に沿う移動を良好にガイド可能であれば、どのような傾斜角度であっても良い。また、図８および図９に示すように、第一移動支持部材１１７を側面視すると、第一傾斜部１１７ｂは直線状に設けられている。
【００４４】
また、図８および図９に示すように、第一移動支持部材１１７のうち、退避移動方向において突出頂部１１７ａから最も離間する部分には、第一垂直部１１７ｃが設けられている。第一垂直部１１７ｃは、第一移動支持部材１１７のうち前後方向に沿う端面であり、この第一垂直部１１７ｃの存在により第一移動支持部材１１７が不必要に長くならない状態となっている。
【００４５】
また、図５〜図９に示すように、第一移動支持部材１１７に対向するように、第二移動支持部材１１８が設けられている。第二移動支持部材１１８は、上述したスライドガイド部２１によって、退避移動方向に向かうスライドがガイドされるものである。この第二移動支持部材１１８には、前後方向に延びる板状部分１１８ｃから突出する第一嵌合部１１８ａと第二嵌合部１１８ｂとが設けられている。これら第一嵌合部１１８ａと第二嵌合部１１８ｂとは、板状部分１１８ｃのうち光軸Ｌから離間する向きに向かって突出している。図３および図５に示すように、第一嵌合部１１８ａおよび第二嵌合部１１８ｂは、共に略Ｌ字形状に形成されているが、第一嵌合部１１８ａは前方側に向かって開放する第１窪み部１１８ａ１を有していて、第二嵌合部１１８ｂは後方側に向かって開放する第二窪み部１１８ｂ１を有している。そして、第１窪み部１１８ａ１にはレール部２１３ａが嵌まり込むと共に、第二窪み部１１８ｂ１にはレール部２１２ａが嵌まり込む。このようにして、第二移動支持部材１１８のスライドがガイドされる。
【００４６】
また、図８および図９に示すように、第二移動支持部材１１８（板状部材１１８ｃ）の形状は、上述した第一移動支持部材１１７の形状と類似している。すなわち、この第二移動支持部材１１８（板状部材１１８ｃ）には、突出頂部１１８ｄ、第二傾斜部１１８ｅおよび第二垂直部１１８ｆが設けられている。しかしながら、突出頂部１１８ｄは、第二移動支持部材１１８のうち本体部２０から離間する側（前方側）に突出する部分である、という点で、突出頂部１１７ａとは突出の向きが逆となっている。また、第二傾斜部１１８ｅも、第二移動支持部材１１８を側面視した場合に直線状となるように設けているが、この第二傾斜部１１８ｅは、退避側に向かうにつれて、後方側に向かうように設けられている。図８および図９においては、第二傾斜部１１８ｅが退避移動方向に対し為す傾斜角度は、略４５度程度に設けられているが、この傾斜角度は略４５度に限られるものではなく、第一移動支持部材１１７の退避移動方向に沿う移動を良好にガイド可能であれば、どのような傾斜角度であっても良い。
【００４７】
また、第二垂直部１１８ｆは、第二移動支持部材１１８のうち、退避移動方向において突出頂部１１８ｄから最も離間する部分であり、前後方向に沿うように形成された端面である。この第二垂直部１１８ｆは、第二レンズ群固定枠１１５が退避位置に位置する場合には、第二レンズ群固定枠１１５の枠部分１１５ａと接触する。なお、第二移動支持部材１１８のうち、突出頂部１１８ｄに隣接すると共に第二垂直部１１８ｆに平行となる端面を、第三垂直部１１８ｇとする。
【００４８】
また、第二移動支持部材１１８には、光軸Ｌから離間する向きに向かい、板状部分１１８ｃから突出するバネ受部１１８ｈが設けられている。バネ受部１１８ｈは、戻しバネ１１９の一端側が取り付けられる部分である。この戻しバネ１１９は、図８および図９に示すように退避移動方向に沿うように設けられている。また、この戻しバネ１１９の他端側は、本体部２０に取付固定されている。そして、この戻しバネ１１９により、第二移動支持部材１１８には、突出頂部１１８ｄが突出頂部１１７ａに近づかせる向きの付勢力が与えられる。
【００４９】
<動作について＞
以上のような構成を有するレンズ収納機構１０およびこのレンズ収納機構１０を用いた光学撮像装置１１のうち、第二レンズ群退避機構１００の動作について、以下に説明する。
【００５０】
図１０（Ａ）に示すように、第二レンズ群固定枠１１５（第二レンズ群Ｌｎ２）が退避位置に移動する前の状態では、第二レンズ群固定枠１１５（第二レンズ群Ｌｎ２）は、撮像位置に位置している。この撮像位置は、第二レンズ群Ｌｎ２の中心が光軸Ｌに沿う位置となっていて、第二レンズ群Ｌｎ２を透過した光は第三レンズ群Ｌｎ３を介して、撮像素子９１で受光させられる。このとき、第二移動支持部材１１８の突出頂部１１８ｄは、第一移動支持部材１１７の第一傾斜部１１７ｂから離れていると共に、戻しバネ１１９の付勢力によって、第二移動支持部材１１８は退避位置から離間する離間位置に位置させられている。
【００５１】
第二レンズ群Ｌｎ２が撮像位置に位置するときは、図１０（Ａ）に示すように、第二レンズ群Ｌｎ２の前方側頂部Ｌｎ２ａは、露光開口部１０５に一部入り込でいる。すると、たとえば第一レンズ群Ｌｎ１が負のパワーをもち、第二レンズ群Ｌｎ２が正のパワーをもち、第三レンズ群Ｌｎ３が正のパワーをもつ場合には、第一レンズ群Ｌｎ１と第二レンズ群Ｌｎ２の空気間隔を小さくすることができる。そのため、負正正三群ズームレンズの高変倍比を得ることが可能となる。
【００５２】
この状態から、不図示のモータの駆動によってカム筒５０が収納方向に回転させられる場合、位置決め部材１１３の筒係合部１１３ｃが固定筒３０の固定筒直進溝３１に入り込み、さらに位置決め部材１１３の延伸部１１３ｂがシャッタ枠１１０の切欠部１１１ｃに入り込んでいるため、シャッタ枠１１０は回転しない。しかしながら、シャッタ枠１１０のカムピン１１１ａは、カム溝５４に入り込んでいるため、このカムピン１１１ａのカム溝５４でのガイドによって、シャッタ枠１１０が後方側に向かう移動が開始させられる。
【００５３】
このとき、第二レンズ群固定枠１１５（第二レンズ群Ｌｎ２）は、ガイド軸１１４を介してシャッタ枠１１０に取り付けられているため、第二レンズ群固定枠１１５（第二レンズ群Ｌｎ２）のシャッタ枠１１０に対する前後方向の位置は殆ど変わらない。一方、図１０（Ｂ）に示すように、第二レンズ群固定枠１１５（第二レンズ群Ｌｎ２）は後方側へ向かうため、褶動軸部１１５ｅは第二移動支持部材１１８の第二傾斜部１１８ｅに当接する。そして、この当接状態から、さらにモータが駆動して、シャッタ枠１１０が後方側に向かって移動させられると、褶動軸部１１５ｅが後方側へ向かって移動しようとする。その移動に際しては、褶動軸部１１５ｅは第二傾斜部１１８ｅにガイドされ、褶動軸部１１５ｅと一体的な第二レンズ群固定枠１１５が、付勢バネ１１６の付勢力に抗しながらガイド軸１１４に沿って退避位置に向かって第２の押圧がなされ、移動を開始する。すなわち、図１０（Ａ）に示す状態から図１０（Ｂ）、その後図１０（Ｃ）に示す状態へと、ガイド軸１１４に沿った第二レンズ群Ｌｎ２の右下斜め方向への移動が順次なされていく。
【００５４】
ここで、図１０（Ｂ）に示す状態は、第二レンズ群Ｌｎ２の前方側頂部Ｌｎ２ａが、図１０（Ａ）に示す状態から右下斜め方向へと移動し、開口部１５から脱出しようとしている。このとき、凹部１０６が形成されているため、その移動の際に前方側頂部Ｌｎ２ａがシャッタ部１０１に衝突するのを避けることができている。なお、図１０（Ｃ）に示す状態においては、第二レンズ群固定枠１１５は、露光開口部１０５から外れた（光軸Ｌに沿って前方側からシャッタ枠１１０を見ると、第二レンズ群固定枠１１５が露光開口部１０５から見えない）状態となっている。
【００５５】
また、褶動軸部１１５ｅの第二傾斜部１１８ｅへの当接に前後して、突出頂部１１８ｄが第一移動支持部材１１７の第一傾斜部１１７ｂに当接する。そして、この当接状態から、さらにモータが駆動して、シャッタ枠１１０が後方側に向かって移動させられると、第一移動支持部材１１７が後方側へ向かって移動しようとする。その移動に際しては、突出頂部１１８ｄは第一傾斜部１１７ｂにガイドされるため、第二移動支持部材１１８が戻しバネ１１９の付勢力に抗しながら、スライドガイド部２１にガイドされて、退避位置側に向かって第１の押圧がなされ、移動を開始する。その移動は、まず、図１０（Ｂ）に示す状態となり、その後、図１０（Ｃ）に示す状態となる。
【００５６】
そして、図１１（Ａ）に示すように、褶動軸部１１５ｅが第二傾斜部１１８ｅの退避位置側の端部に到達してもなお、シャッタ枠１１０が後方側へ向かって移動させられると、褶動軸部１１５ｅは第二傾斜部１１８ｅから第二垂直部１１８ｆへと移動する。この状態に前後して、上述のシャッタ枠１１０の移動により、突出頂部１１８ｄは第一傾斜部１１７ｂから外れ、代わりに第三垂直部１１８ｇのうち突出頂部１１８ｄに近い部分が、第一垂直部１１７ｃに当接する。ここで、図１１（Ａ）から明らかなように、褶動軸部１１５ｅが第二垂直部１１８ｆに位置し、第三垂直部１１８ｇが第一垂直部１１７ｃと当接する場合には、第二移動支持部材１１８および第二レンズ群固定枠１１５は、これ以上、図１１（Ａ）において左側には移動しない状態となる。すなわち、図１１（Ａ）の状態の場合、退避移動方向においては、第二レンズ群固定枠１１５は、退避位置に到達した状態となる。
【００５７】
そして、図１１（Ａ）の状態から、図１１（Ｂ）に示す状態へと移行する。すなわち、シャッタ枠１１０が後方側に向かってさらに移動させられると、第一垂直部１１７ｃが第三垂直部１１８ｇに沿って後方側に移動し、その後、シャッタ枠１１０の前後方向における収納位置まで移動させられて、シャッタ枠１１０の後方側への移動が停止させられる。以上のようにして、第二レンズ群固定枠１１５は、前後方向においても、退避位置に到達した状態となる。
【００５８】
図１０（Ａ）、図１０（Ｂ）、図１０（Ｃ）、図１１（Ａ）、そして図１１（Ｂ）の順に動作が進行すると、シャッタ部１０１と第二レンズ群Ｌｎ２との距離は、次第に大きくなる。
【００５９】
また、この動作の前から動作の進行の際には、第二レンズ群Ｌｎ２の光軸の方向は常に一定に保たれている。しかし、たとえば、第二レンズ群Ｌｎ２は、撮像位置のみで光軸の方向が第一レンズ群Ｌｎ１および第三レンズ群Ｌｎ３と同一となり、この動作の進行の際の一部では光軸の方向が変化することとしても良い。ただし、第二レンズ群Ｌｎ２の光軸方向を変化させるような動作は、複雑な機構を要するため、第二レンズ群Ｌｎ２の光軸の方向は常に一定に保つことが好ましい。さらに、この動作は、まっすぐなガイド軸１１４に沿った移動動作であるため、第二レンズ群Ｌｎ２は、直線状に移動する。しかし、第二レンズ群Ｌｎ２は、露光開口部１０５と対向する位置から後方側へ光軸に沿って若干移動し、その後退避位置へと光軸と直交する方向に移動する等とすることもできる。
【００６０】
また、第二レンズ群固定枠１１５が退避位置から撮像位置へと向かう場合の動作は、上述した退避位置へと向かう移動とは逆となる。すなわち、図１１（Ｂ）から順次、図１１（Ａ）、図１０（Ｃ）、図１０（Ｂ）へと移行し、最後に図１０（Ａ）へと移行して、第二レンズ群固定枠１１５の撮像位置への移動が終了する。この移動は、付勢バネ１１６の付勢力による。
【００６１】
＜効果＞
以上のような構成のレンズ収納機構１０およびこのレンズ収納機構１０を用いた光学撮像装置１１によれば、第二レンズ群Ｌｎ２を退避位置に収納できることから、レンズ収納機構１０の小型化が実現できる。また、撮像位置と退避位置における第二レンズ群Ｌｎ２の同一部分を結ぶ直線Ｘが、光軸Ｌと直交し移動方向に沿った直線Ｙと角度θ＝２°で交差している。また、退避位置におけるシャッタ部１０１と第二レンズ群Ｌｎ２との距離が、撮像位置におけるシャッタ部１０１と第二レンズ群Ｌｎ２との距離よりも大きいため、撮像時の第一レンズ群Ｌｎ１と第二レンズ群Ｌｎ２の空気間隔を小さくすることができる。すると、上述のように、たとえば第一レンズ群Ｌｎ１が負のパワーをもち、第二レンズ群Ｌｎ２が正のパワーをもち、第三レンズ群Ｌｎ３が正のパワーをもつ場合には、負正正三群ズームレンズの高変倍比を得ることが可能となる。
【００６２】
また、以上のような構成のレンズ収納機構１０およびこのレンズ収納機構１０を用いた光学撮像装置１１によれば、カム筒５０の回転への移動に伴ってシャッタ枠１１０が後方側へ移動させられると、突出頂部１１８ｄが第一傾斜部１１７ｂに沿って褶動し、それによって第二移動支持部材１１８が退避位置に向けて移動させられる。さらに、この第二移動支持部材１１８の退避位置へ向かう移動によって、褶動軸部１１５ｅが第二傾斜部１１８ｅに沿って褶動し、それによって第二レンズ群固定枠１１５が退避位置に向けて移動させられる。
【００６３】
そのため、部品点数が少ないながらも、簡単な構成で第二レンズ群Ｌｎ２を退避位置に向けて移動させることが可能となる。また、退避位置に向かう運動量を、十分に確保することが可能となる。
【００６４】
ここで、本実施の形態におけるレンズ収納機構１０に対する比較例となるレンズ収納機構の構成および動作を、図１２および図１３に示す。なお、本実施の形態におけるレンズ収納機構１０と比較例に係るレンズ収納機構の動作の対応関係について述べると、図１０（Ａ）に対応する動作（位置関係）は図１２（Ａ）であり、図１０（Ｂ）に対応する動作（位置関係）は図１２（Ｂ）であり、図１０（Ｃ）に対応する動作（位置関係）は図１２（Ｃ）であり、図１１（Ａ）に対応する動作（位置関係）は図１３（Ａ）であり、図１１（Ｂ）に対応する動作（位置関係）は図１３（Ｂ）となっている。なお、この比較例では、第二レンズ群Ｌｎ２は、図７に示すようにθの角度に傾斜したガイド軸１１４に沿った移動をせず、光軸Ｌと直交する方向Ｙに沿って移動する。そのため、図１２（Ａ）に示すように、撮像位置における第二レンズ群Ｌｎ２の前方側頂部Ｌｎ２ａは、露光開口部１０５に一部入り込でおらず、レンズ部１０１から若干後方側へ離れている。
【００６５】
図１２および図１３に示す構成では、本実施の形態における第二移動支持部材１１８に相当する部材が存在するが、かかる部材は本体部に固定されている。また、図１２および図１３においては第一移動支持部材１１７に相当する構成は存在していない。そのため、第二レンズ群Ｌｎ２が退避位置に向かう移動量が十分に確保できない。そのため、かかる図１２および図１３における構成では、別途の移動機構と組み合わせ、かかる別途の移動機構によって第二レンズ群Ｌｎ２の退避位置側への移動量を確保する必要がある。
【００６６】
しかしながら、本実施の形態における構成では、上述したような褶動関係によって第二レンズ群Ｌｎ２の移動量を十分に確保できるため、別途の移動機構を設ける必要がなく、構成を簡単なものとなるため、コストを低減させることが可能となる。
【００６７】
また、本実施の形態では、図８および図９に示すように、第一移動支持部材１１７には第一傾斜部１１７ｂが設けられ、第二移動支持部材１１８には第二傾斜部１１８ｅが設けられ、さらに第二レンズ群固定枠１１５には褶動軸部１１５ｅが設けられている。そのため、第一傾斜部１１７ｂに対して突出頂部１１８ｄをスムーズに褶動させることが可能となり、第二傾斜部１１８ｅに対して褶動軸部１１５ｅをスムーズに褶動させることが可能となる。特に、第一傾斜部１１７ｂおよび第二傾斜部１１８ｅを側面視した場合に直線状に設けられているため、スムーズな褶動を行わせることが可能となっている。
【００６８】
さらに、本実施の形態では、第一移動支持部材１１７の退避位置側には、第一傾斜部１１７ｂに隣接して第一垂直部１１７ｃが設けられていて、第二移動支持部材１１８の退避位置から離間する側には第二垂直部１１８ｆが設けられ、さらに第二移動支持部材１１８の退避位置側には第三垂直部１１８ｇが設けられている。このため、第一移動支持部材１１７および第二移動支持部材１１８が不必要に長くならなくなり、第二レンズ群Ｌｎ２の退避移動に最適な第一移動支持部材１１７および第二移動支持部材１１８とすることが可能となる。
【００６９】
また、本実施の形態では、第二移動支持部材１１８には、戻しバネ１１９によって退避位置から離間する向きの付勢力が与えられると共に、第二レンズ群固定枠１１５には、付勢バネ１１６によって退避位置から離間する向きの付勢力が与えられる。そのため、第二レンズ群Ｌｎ２の退避位置へ向かう移動のみならず、戻しバネ１１９および付勢バネ１１６の付勢力により、第二レンズ群Ｌｎ２を退避位置から撮像位置に向けて移動させることが可能となる。そのため、第二レンズ群Ｌｎ２を撮像位置に向けて移動させるための、別途の移動機構が不要となる。
【００７０】
以上、本発明の一実施の形態について説明したが、本発明は上述の形態に限定されることなく、種々変形した形態にて実施可能である。以下、それについて説明する。
【００７１】
上述の実施の形態では、撮像位置と退避位置における第二レンズ群Ｌｎ２の同一部分を結ぶ直線Ｘが、光軸Ｌと直交し移動方向に沿った直線Ｙから２°ずれている。しかし、このずれの角度は、０°を超え５°以内の範囲、たとえば、１°、３°、４°、５°等の範囲で適宜変更できる。ただし、このずれの角度が５°を超えると、レンズ収納機構１０およびこのレンズ収納機構１０を用いた光学撮像装置１１が、前後方向に嵩張ることとなることから、好適でない。
【００７２】
また、第二レンズ群Ｌｎ２が撮像位置でシャッタ部１０１に近づき過ぎない構成である場合等には、凹部１０６は、設けなくても良い。さらに、第二レンズ群Ｌｎ２の移動機構は、図１０および図１１に記載されたものではなく、比較例として図１２および図１３に記載されたもの等、他の機構を採用しても良い。
【００７３】
また、上述の実施の形態では、レンズ収納機構１０によって退避位置に移動させられるレンズ群、このレンズ群を固定するレンズ群固定枠、およびこのレンズ群固定枠と対向するレンズ群支持枠として、第二レンズ群Ｌｎ２、第二レンズ群固定枠１１５およびシャッタ枠１１０を挙げている。しかしながら、レンズ群、このレンズ群を固定するレンズ群固定枠、およびこのレンズ群固定枠と対向するレンズ群支持枠としては、第二レンズ群Ｌｎ２、第二レンズ群固定枠１１５およびシャッタ枠１１０に限られるものではない。たとえば第四レンズ群まで具備するものであれば、その内部に存在する第二レンズ群と第三レンズ群のうちの少なくとも１つが退避位置に向けて移動するものについても本発明を適用可能であるように、第Ｎレンズ群まで具備するものであれば、その内部に存在する第二レンズ群から第Ｎ−１レンズ群までのうちの少なくとも１つが退避位置に向けて移動するものについても、本発明を適用可能である。
【００７４】
また、上述の実施の形態において、第一移動支持部材１１７の第一傾斜部１１７ｂは、たとえば厚み方向の中央側が凹となる形状として、突出頂部１１８ｄが第一傾斜部１１７ｂに衝突するのをガイドするようにしても良い。
【００７５】
さらに、上述の実施の形態では、第一傾斜部１１７ｂおよび第二傾斜部１１８ｅを側面視した場合に、その形状が直線状に設けられている。しかしながら、第一傾斜部１１７ｂおよび第二傾斜部１１８ｅを側面視したときの形状は、直線形状に限られるものではなく、種々の曲線形状とすることも勿論可能である。ここで、本実施の形態においては、戻しバネ１１９および付勢バネ１１６のバネ力は、それらのバネが伸びるにつれて大きくなる。そのため、バネ力が弱いときに大きく移動させるようにし、バネ力が強くなるにつれて移動量を少なくするように、第一傾斜部１１７ｂおよび第二傾斜部１１８ｅを形成しても良い。
【００７６】
さらに、図１４は、上述の実施の形態において、一対のガイド軸１１４の一方を変形した変形例の、図６に対応する図の斜視図である。図１４に示す各要素・部材に付した符号は、上述の実施の形態の対応する要素・部材に付した符号と同じとし、それらの要素・部材についての詳細な説明は省略する。シャッタ枠１１０の一部が、傾斜（図７における角度θ）を有するレール状のガイドレール１２１（ガイド部材）となっている。第二レンズ群固定枠１１５から延びる腕部１２２（褶動部材）が、ガイドレール１２１とその長さ方向に褶動するようになっている。このガイドレール１２１が、ガイド軸１１４と同じ働きをし、腕部１２２が、ガイド部１１５ｄと同じ働きをする。このガイドレール１２１およびこの変形例におけるガイド軸１１４とシャッタ部１０１との位置関係は、図７に示すガイド軸１１４とシャッタ部１０１との位置関係と同様である。この変形例の構成は、図６に示す本実施の形態に係る構成に比べ、より構成が単純となっているため、組み立てが容易なこと等の利点を有する。
【符号の説明】
【００７７】
１０  レンズ収納機構
１１  光学撮像装置
１０１  シャッタ部
１０５  露光開口部
１１５  レンズ群固定枠
１１６  付勢バネ（付勢手段）
１１７  第一移動支持部材（第１移動部材）
１１７ｂ  第一傾斜部（斜面）
１１８  第二移動支持部材（第２移動部材）
１１８ｅ  第二傾斜部（当接面）
Ｌ  光軸
Ｌｎ２  第二レンズ群（所定のレンズ群）
【図１】
0005952082.tif 000002
【図２】
0005952082.tif 000003
【図３】
0005952082.tif 000004
【図４】
0005952082.tif 000005
【図５】
0005952082.tif 000006
【図６】
0005952082.tif 000007
【図７】
0005952082.tif 000008
【図８】
0005952082.tif 000009
【図９】
0005952082.tif 000010
【図１０】
0005952082.tif 000011
【図１１】
0005952082.tif 000012
【図１２】
0005952082.tif 000013
【図１３】
0005952082.tif 000014
【図１４】
0005952082.tif 000015